(57)【要約】【課題】漏洩を防止する必要のある相手先電話番号のみを一括してＩＤに置き換えて電話帳に登録可能にする。【解決手段】携帯電話端末101は、電話帳データ作成または編集時に、相手先識別情報とそれらに対応する電話番号を入力した後、入力したすべてのデータをネットワーク300側に保存する指示がなされると、携帯電話端末101はネットワーク300内の電話帳サーバー303との間でデータ通信回線を確立した後、ネットワーク300内の電話帳サーバー303にこれらの情報を送信して保存要求する。電話帳サーバー303は携帯電話端末101の加入者情報と保存データの対に対して、一意のＩＤを割り当てて保存するとともに、このＩＤを携帯電話端末101に通知する。携帯電話端末101は、前記相手先識別に対応する前記電話番号やメールアドレスの代わりに受信したＩＤを携帯電話端末101内の電話帳に保存する。【選択図】図１
2010087762.tif 000002
【特許請求の範囲】
【請求項１】
電話帳を備えた携帯電話端末と、交換機と、電話帳サーバーとによる電話帳データ管理方法であって、
前記携帯電話端末は、電話帳編集操作により入力された相手先識別名および該相手先識別名と対応する電話番号又はメールアドレスのネットワークへの保存指示がなされたときに、前記交換機に対して前記電話帳サーバーとの間のデータ回線確立要求を送信し、前記電話帳サーバーとの間のデータ回線確立後に、該電話帳サーバーにアクセスして前記相手先識別名および該相手先識別名と対応する電話番号又はメールアドレスを前記電話帳サーバーへ送信して電話帳データの保存要求を行い、前記電話帳サーバーから電話帳データ保存完了の通知と共に前記送信した電話番号又はメールアドレスに対応するＩＤを受信したとき、前記相手先識別名と対応する電話番号又はメールアドレスを前記受信したＩＤで置き換えて前記電話帳に登録し、
前記交換機は、前記携帯電話端末から前記電話帳サーバーとの間のデータ回線確立の要求を受けて前記携帯電話端末と前記電話帳サーバーとの間のデータ回線を確立し、
前記電話帳サーバーは、前記交換機により前記携帯電話端末との間に確立されたデータ回線を介して前記携帯電話端末から前記電話帳データの保存要求を受信したとき、受信した前記相手先識別名に対して固有のＩＤを割り当て、前記携帯電話端末の電話帳データとして受信した前記相手先識別名および該相手先識別名と対応する電話番号又はメールアドレスと前記割り当てたＩＤを対にして保存するとともに、前記携帯電話端末に対して、前記データ回線を介して前記電話帳データの保存完了通知と前記割り当てたＩＤを通知する、
ことを特徴とする電話帳データ管理方法。
【請求項２】
電話帳を備えた携帯電話端末と、交換機と、ロケーションレジスタと、電話帳サーバーとからなり、
前記携帯電話端末は、電話帳編集操作により入力された相手先識別名および該相手先識別名と対応する電話番号又はメールアドレスのネットワークへの保存指示がなされたとき、前記交換機に対して前記電話帳サーバーとの間のデータ回線確立の要求を送信する手段と、前記電話帳サーバーとの間のデータ回線確立後、該電話帳サーバーにアクセスして前記相手先識別名および該相手先識別名と対応する電話番号又はメールアドレスを前記電話帳サーバーへ送信して電話帳データの保存要求を行う手段と、前記電話帳サーバーから電話帳データ保存完了の通知と共に前記送信した電話番号又はメールアドレスに対応するＩＤを受信したとき、前記相手先識別名と対応する電話番号又はメールアドレスを前記受信したＩＤで置き換えて前記電話帳に登録する手段を有しており、
前記交換機は、前記携帯電話端末から前記電話帳サーバーとの間のデータ回線確立の要求を受けて前記携帯電話端末と前記電話帳サーバーとの間のデータ回線を確立する手段を有しており、
前記電話帳サーバーは、前記交換機により前記携帯電話端末との間に確立されたデータ回線を介して前記携帯電話端末から前記電話帳データの保存要求を受信したとき、受信した前記相手先識別名に対して固有のＩＤを割り当てるとともに、前記携帯電話端末の電話帳データとして受信した前記相手先識別名および該相手先識別名と対応する電話番号又はメールアドレスと前記割り当てたＩＤを対にして保存する手段と、前記携帯電話端末に対して、前記データ回線を介して前記電話帳データの保存完了通知と前記割り当てたＩＤを通知する手段を有している、
ことを特徴とする電話帳データ管理システム。
【請求項３】
前記携帯電話端末は、前記交換機に対して前記電話帳に登録されているＩＤを送信して発信要求する手段を有しており、
前記交換機は、前記携帯電話端末から受信した前記ＩＤを前記ロケーションレジスタに送信して前記ＩＤの所在を照会する手段と、前記ロケーションレジスタから受信した前記ＩＤに対応する電話番号又はメールアドレスとその所在情報に基づいて該電話番号又はメールアドレスと前記携帯電話端末との間のデータ回線を確立する手段を有しており、
前記ロケーションレジスタは、前記交換機から受信した前記ＩＤを前記電話帳サーバーに送信して前記ＩＤに対応する電話番号又はメールアドレスを照会する手段と、前記電話帳サーバーから受信した前記ＩＤに対応する電話番号又はメールアドレスと、該ロケーションレジスタ内に登録されている該電話番号又はメールアドレスの所在情報を前記交換機へ送信する手段を有しており、
前記電話帳サーバーは、該サーバー内に保存されている前記携帯電話端末の電話帳データを検索して前記ＩＤに対応する電話番号又はメールアドレスを抽出する手段と、抽出した前記電話番号又はメールアドレスを前記ロケーションレジスタへ送信する手段を有している、
ことを特徴とする請求項２に記載の電話帳データ管理システム。
【請求項４】
前記携帯電話端末は、前記交換機から前記ＩＤを発信元とする着信を受けたとき、該携帯電話端末内の電話帳を検索して前記ＩＤに対応する相手先識別情報を抽出して表示する手段を有しており、
前記交換機は、他の発信元から前記携帯電話端末の電話番号又はメールアドレスに対する着信を受けたときに、前記発信元の電話番号又はメールアドレスと前記携帯電話端末の電話番号又はメールアドレスを前記ロケーションレジスタに送信して前記携帯電話端末の所在を照会する手段と、前記ロケーションレジスタから前記携帯電話端末の所在情報と前記発信元の電話番号又はメールアドレスと対応するＩＤを受信したとき、前記携帯電話端末の所在情報に基づいて該ＩＤを発信元とする前記携帯電話端末との間のデータ回線を確立する手段を有しており、
前記ロケーションレジスタは、前記交換機から受信した前記発信元の電話番号又はメールアドレスと前記携帯電話端末の電話番号又はメールアドレスを前記電話帳サーバーに送信して前記発信元の電話番号又はメールアドレスに対応するＩＤを照会する手段と、前記電話帳サーバーから前記発信元の電話番号又はメールアドレスに対応するＩＤを受信したとき、該ロケーションレジスタ内に登録されている前記携帯電話端末の所在情報と前記受信したＩＤを前記交換機へ送信する手段を有しており、
前記電話帳サーバーは、該サーバー内に保存されている前記携帯電話端末の電話帳データを検索して前記発信元の電話番号又はメールアドレスに対応するＩＤを抽出する手段と、抽出した前記ＩＤを前記ロケーションレジスタへ送信する手段を有している、
ことを特徴とする請求項２または３に記載の電話帳データ管理システム。
【請求項５】
請求項２〜４の何れか１項に記載の電話帳データ管理システムで用いられる携帯電話端末であって、
電話帳編集操作により入力された相手先識別名および該相手先識別名と対応する電話番号又はメールアドレスのネットワークへの保存指示がなされたとき、前記交換機に対して前記電話帳サーバーとの間のデータ回線確立の要求を送信する手段と、前記電話帳サーバーとの間のデータ回線確立後、該電話帳サーバーにアクセスして前記相手先識別名および該相手先識別名と対応する電話番号又はメールアドレスを前記電話帳サーバーへ送信して電話帳データの保存要求を行う手段と、前記電話帳サーバーから電話帳データ保存完了の通知と共に前記送信した電話番号又はメールアドレスに対応するＩＤを受信したとき、前記相手先識別名と対応する電話番号又はメールアドレスを前記受信したＩＤで置き換えて前記電話帳に登録する手段を有していることを特徴とする携帯電話端末。
【請求項６】
請求項２〜４の何れか１項に記載の電話帳データ管理システムで用いられる電話帳サーバーであって、
前記交換機により前記携帯電話端末との間に確立されたデータ回線を介して前記携帯電話端末から前記電話帳データの保存要求を受信したとき、受信した前記相手先識別名に対して固有のＩＤを割り当てるとともに、前記携帯電話端末の電話帳データとして受信した前記相手先識別名および該相手先識別名と対応する電話番号又はメールアドレスと前記割り当てたＩＤを対にして保存する手段と、前記携帯電話端末に対して、前記データ回線を介して前記電話帳データの保存完了通知と前記割り当てたＩＤを通知する手段を有していることを特徴とする電話帳サーバー。
【請求項７】
請求項３に記載の電話帳データ管理システムで用いられる電話帳サーバーであって、
前記交換機により前記携帯電話端末との間に確立されたデータ回線を介して前記携帯電話端末から前記電話帳データの保存要求を受信したとき、受信した前記相手先識別名に対して固有のＩＤを割り当てるとともに、前記携帯電話端末の電話帳データとして受信した前記相手先識別名および該相手先識別名と対応する電話番号又はメールアドレスと前記割り当てたＩＤを対にして保存する手段と、前記携帯電話端末に対して、前記データ回線を介して前記電話帳データの保存完了通知と前記割り当てたＩＤを通知する手段と、該サーバー内に保存されている前記携帯電話端末の電話帳データを検索して前記ＩＤに対応する電話番号又はメールアドレスを抽出する手段と、抽出した前記電話番号又はメールアドレスを前記ロケーションレジスタへ送信する手段を有していることを特徴とする電話帳サーバー。
【請求項８】
請求項４に記載の電話帳データ管理システムで用いられる電話帳サーバーであって、
前記交換機により前記携帯電話端末との間に確立されたデータ回線を介して前記携帯電話端末から前記電話帳データの保存要求を受信したとき、受信した前記相手先識別名に対して固有のＩＤを割り当てるとともに、前記携帯電話端末の電話帳データとして受信した前記相手先識別名および該相手先識別名と対応する電話番号又はメールアドレスと前記割り当てたＩＤを対にして保存する手段と、前記携帯電話端末に対して、前記データ回線を介して前記電話帳データの保存完了通知と前記割り当てたＩＤを通知する手段と、該サーバー内に保存されている前記携帯電話端末の電話帳データを検索して前記ＩＤに対応する電話番号又はメールアドレスを抽出する手段と、抽出した前記電話番号又はメールアドレスを前記ロケーションレジスタへ送信する手段と、該サーバー内に保存されている前記携帯電話端末の電話帳データを検索して前記発信元の電話番号又はメールアドレスに対応するＩＤを抽出する手段と、抽出した前記ＩＤを前記ロケーションレジスタへ送信する手段を有していることを特徴とする電話帳サーバー。
【発明の詳細な説明】
【技術分野】
【０００１】
本発明は、携帯電話端末等における電話帳データの管理技術に関する。
【背景技術】
【０００２】
電話あるいはメール機能を有する携帯型無線端末（以下、携帯電話端末という）では、ユーザーがよく利用する相手先の電話番号あるいはメールアドレスを、相手先を特定する名前あるいはキーワードと対応付けて端末内部に備えられたメモリに記憶することにより電話帳データとして事前に登録しておき、相手先に電話あるいはメール発信する際には、この登録された電話帳データを参照して相手先を検索し、該当する相手先の名前あるいはキーワードを指定して発信操作を行うと、相手先の名前あるいはキーワードと対応付けされた電話番号あるいはメールアドレスに対して発信する機能が備えられている。その際、電話帳データは、ユーザーにより自由に追加や編集等を行うことが可能である。
【０００３】
このように、従来の携帯電話端末の電話帳データは、相手先識別情報とその電話番号、あるいはメールアドレスを対で端末内部に備えられた電話帳（メモリ）に登録・保存しているため、携帯電話端末を紛失する等の事故により端末内の電話帳データが不正に閲覧されると、相手先識別情報と関連する電話番号、あるいはメールアドレス情報が第三者に漏洩する危険性がある。
【０００４】
このような問題を解消する手段として、携帯電話端末内の電話帳には、通話相手の氏名とＩＤ（識別子）のみを対応付けて保存管理し、移動通信交換機に接続された顧客データベースサーバにおいて顧客のＩＤと電話番号とを対応付けて管理することにより、携帯電話端末から通話のための発呼を行う際には、端末内の電話帳から選択された通話相手のＩＤを移動通信交換機に送信し、移動通信交換機では、受信したＩＤと対応づけて保持されている電話番号を顧客データベースサーバから抽出し、該抽出した電話番号により通話相手との間の回線接続を行う技術が特許文献１において提案されている。
【０００５】
図６は、特許文献１に開示されている携帯端末通信システムのシステム構成図である。
【０００６】
この通信システムにおいて、ユーザーが通常の電話帳登録時と同様に、電話帳登録操作を開始する指示、登録する電話番号、氏名等を入力すると、それらの情報を受け付けた携帯端末６０１の電話帳登録処理部は、登録要求とともに受け付けた電話番号を基地局６０２経由で移動通信交換機６０３に送信する。移動通信交換機６０３は、受け取った電話番号に登録要求が付加されていることを検出して、該電話番号を顧客データベースサーバ６０４に転送する。
【０００７】
顧客データベースサーバ６０４では、移動通信交換機６０３から受け取ったデータの種別を判別し、電話番号の場合、顧客ＤＢに登録されているか否か判別する。登録されている場合は、当該電話番号に対応づけて顧客ＤＢに管理されているＩＤを移動通信交換機６０３に返信する。一方、未登録の場合は、受け取った電話番号を登録し、登録時に当該電話番号に付与されるＩＤを移動通信交換機６０３に返信する。
【０００８】
移動通信交換機６０３は、受け取ったＩＤを基地局６０２経由で携帯端末６０１に通知する。携帯端末６０１の電話帳登録処理部は、当初ユーザーにより入力された電話番号、氏名等の情報の中の電話番号を上記受け取ったＩＤで置き換えて端末内の電話帳に登録する。以上の処理により、携帯端末６０１の電話帳には、電話番号の代わりに移動通信交換機６０３から受け取ったＩＤが、氏名等の情報と対応付けられて登録される。
【０００９】
次に、携帯端末６０１から通話相手である電話機６０６に電話をかける場合、ユーザーは、通常の電話帳機能を用いての発呼と同様、電話帳ＤＢを検索して、氏名等の情報から通話相手を選択する。ユーザーからの選択を受け付けた携帯端末６０１は、選択されたデータの番号欄に格納されている相手先の番号データを接続要求として移動通信交換機６０３に送信する。
【００１０】
移動通信交換機６０３は、携帯端末６０１から受け取ったデータに登録要求が付加されていないため、番号データ種別を判別し、番号データ種別が通常の電話番号である場合には、発信元電話番号とともに交換機６０３内の交換処理部に受け渡す。交換処理部は、当該電話番号で特定される通話相手である電話機６０６に発信元電話番号を通知して通話路を開設し、携帯端末６０１と電話機６０６とを接続する。
【００１１】
一方、番号データ種別がＩＤと判別した場合には、当該ＩＤを顧客データベースサーバ６０４に通知する。顧客データベースサーバ６０４は、移動通信交換機６０３からＩＤを受け取ると、顧客ＤＢを検索し、受け取ったＩＤに対応づけて保持されている電話番号を抽出し、移動通信交換機６０３に返信する。
【００１２】
移動通信交換機６０３は、顧客データベースサーバ６０４から電話番号を受け取ると、発信元電話番号とともに交換機６０３内の交換処理部に受け渡す。交換処理部は、当該電話番号で特定される通話相手である電話機６０６に発信元電話番号を通知して通話路を開設し、携帯端末６０１と電話機６０６とを接続する。
【００１３】
【特許文献１】特開２００７−１２４１０６号公報
【発明の開示】
【発明が解決しようとする課題】
【００１４】
上記特許文献１に記載の通信システムによれば、携帯電話端末内の電話帳に、相手先識別情報と直接関連する電話番号を登録、管理する必要が無いので、紛失等の事故により携帯電話端末の電話帳データが不正に閲覧されても、相手先識別情報と関連する電話番号は第三者に知られる虞はなく、且つ、携帯電話端末から顧客データベースサーバに保存されている電話番号に対して発信操作を行うことが可能となるため、利便性を損なわずに、安全性の高い、通話相手の電話番号管理を実現することができる。
【００１５】
しかし、特許文献１に記載の通信システムにおいては、ユーザーが通常の電話帳登録操作を開始して、登録する電話番号、氏名等を入力すると、それらの情報を受け付けた携帯電話端末の電話帳登録処理部は、登録要求とともに受け付けた電話番号を移動通信交換機に送信し、移動通信交換機は、受け付けた電話番号に登録要求が付加されているときには、該電話番号を顧客データベースサーバに転送し、顧客データベースサーバは、受け付けた電話番号にＩＤを付して登録管理するとともに、当該電話番号に付したＩＤを移動通信交換機に返信し、移動通信交換機は、受け取ったＩＤをユーザーの携帯端末に通知し、携帯端末の電話帳登録処理部は、受け取ったＩＤを、当初ユーザーにより入力された電話番号を除く氏名等の情報とともに、端末内の電話帳に登録する処理が自動的に実行されるため、以下のような問題点がある。
【００１６】
電話帳に登録する電話帳データの中には、例えば勤務する会社の電話番号等、漏洩を防止する必要が無く、寧ろ電話番号で登録しておいたほうが都合のよいデータであっても、電話帳への登録操作が行われると自動的にＩＤを取得するための送受信動作が実行されて、ＩＤにより電話帳登録がされてしまい、また、電話帳登録操作毎に移動通信交換機との間の送受信が行われ、それに伴い端末の電力消費量が増えることになる。
【００１７】
また、移動通信交換機が電話帳登録のための動作に直接介在する構成となっているため、その分移動通信交換機の負担が増大するという問題がある。
【００１８】
本発明の目的は、上述した課題を解決することが可能な、携帯電話端末等における電話帳データの管理技術を提供することにある。
【課題を解決するための手段】
【００１９】
本発明の電話帳データ管理方法は、電話帳を備えた携帯電話端末と、交換機と、電話帳サーバーとによる電話帳データ管理方法であって、前記携帯電話端末は、電話帳編集操作により入力された相手先識別名および該相手先識別名と対応する電話番号又はメールアドレスのネットワークへの保存指示がなされたときに、前記交換機に対して前記電話帳サーバーとの間のデータ回線確立要求を送信し、前記電話帳サーバーとの間のデータ回線確立後に、該電話帳サーバーにアクセスして前記相手先識別名および該相手先識別名と対応する電話番号又はメールアドレスを前記電話帳サーバーへ送信して電話帳データの保存要求を行い、前記電話帳サーバーから電話帳データ保存完了の通知と共に前記送信した電話番号又はメールアドレスに対応するＩＤを受信したとき、前記相手先識別名と対応する電話番号又はメールアドレスを前記受信したＩＤで置き換えて前記電話帳に登録し、前記交換機は、前記携帯電話端末から前記電話帳サーバーとの間のデータ回線確立の要求を受けて前記携帯電話端末と前記電話帳サーバーとの間のデータ回線を確立し、前記電話帳サーバーは、前記交換機により前記携帯電話端末との間に確立されたデータ回線を介して前記携帯電話端末から前記電話帳データの保存要求を受信したとき、受信した前記相手先識別名に対して固有のＩＤを割り当て、前記携帯電話端末の電話帳データとして受信した前記相手先識別名および該相手先識別名と対応する電話番号又はメールアドレスと前記割り当てたＩＤを対にして保存するとともに、前記携帯電話端末に対して、前記データ回線を介して前記電話帳データの保存完了通知と前記割り当てたＩＤを通知することを特徴とする。
【００２０】
本発明の電話帳データ管理システムは、電話帳を備えた携帯電話端末と、交換機と、ロケーションレジスタと、電話帳サーバーとからなり、前記携帯電話端末は、電話帳編集操作により入力された相手先識別名および該相手先識別名と対応する電話番号又はメールアドレスのネットワークへの保存指示がなされたとき、前記交換機に対して前記電話帳サーバーとの間のデータ回線確立の要求を送信する手段と、前記電話帳サーバーとの間のデータ回線確立後、該電話帳サーバーにアクセスして前記相手先識別名および該相手先識別名と対応する電話番号又はメールアドレスを前記電話帳サーバーへ送信して電話帳データの保存要求を行う手段と、前記電話帳サーバーから電話帳データ保存完了の通知と共に前記送信した電話番号又はメールアドレスに対応するＩＤを受信したとき、前記相手先識別名と対応する電話番号又はメールアドレスを前記受信したＩＤで置き換えて前記電話帳に登録する手段を有しており、前記交換機は、前記携帯電話端末から前記電話帳サーバーとの間のデータ回線確立の要求を受けて前記携帯電話端末と前記電話帳サーバーとの間のデータ回線を確立する手段を有しており、前記電話帳サーバーは、前記交換機により前記携帯電話端末との間に確立されたデータ回線を介して前記携帯電話端末から前記電話帳データの保存要求を受信したとき、受信した前記相手先識別名に対して固有のＩＤを割り当てるとともに、前記携帯電話端末の電話帳データとして受信した前記相手先識別名および該相手先識別名と対応する電話番号又はメールアドレスと前記割り当てたＩＤを対にして保存する手段と、前記携帯電話端末に対して、前記データ回線を介して前記電話帳データの保存完了通知と前記割り当てたＩＤを通知する手段を有している、ことを特徴とする。
【００２１】
本発明の電話帳データ管理システムで用いられる携帯電話端末は、電話帳編集操作により入力された相手先識別名および該相手先識別名と対応する電話番号又はメールアドレスのネットワークへの保存指示がなされたとき、前記交換機に対して前記電話帳サーバーとの間のデータ回線確立の要求を送信する手段と、前記電話帳サーバーとの間のデータ回線確立後、該電話帳サーバーにアクセスして前記相手先識別名および該相手先識別名と対応する電話番号又はメールアドレスを前記電話帳サーバーへ送信して電話帳データの保存要求を行う手段と、前記電話帳サーバーから電話帳データ保存完了の通知と共に前記送信した電話番号又はメールアドレスに対応するＩＤを受信したとき、前記相手先識別名と対応する電話番号又はメールアドレスを前記受信したＩＤで置き換えて前記電話帳に登録する手段を有していることを特徴とする。
【００２２】
本発明の電話帳データ管理システムで用いられる電話帳サーバーは、前記交換機により前記携帯電話端末との間に確立されたデータ回線を介して前記携帯電話端末から前記電話帳データの保存要求を受信したとき、受信した前記相手先識別名に対して固有のＩＤを割り当てるとともに、前記携帯電話端末の電話帳データとして受信した前記相手先識別名および該相手先識別名と対応する電話番号又はメールアドレスと前記割り当てたＩＤを対にして保存する手段と、前記携帯電話端末に対して、前記データ回線を介して前記電話帳データの保存完了通知と前記割り当てたＩＤを通知する手段を有していることを特徴とする。
【発明の効果】
【００２３】
本発明では、携帯電話端末が電話帳のデータをネットワークに保存する場合に、交換機に対して予め指定されている電話帳サーバーとのデータ回線の確立を要求し、データ回線確立後、携帯電話端末と電話帳サーバーとの間で、電話帳データの保存要求、ＩＤの付与、および電話帳データの保存処理のための通信を行うので、漏洩を防止する必要のある相手先電話番号のみをＩＤに置き換えて登録することができる。
【００２４】
また本発明によれば、携帯電話端末と電話帳サーバーとの間で、携帯電話端末で編集した複数の電話帳データの保存を一括して要求し、送信した複数の電話番号に対してそれぞれ割り当てられたＩＤを電話帳サーバーから一括受信し、各登録電話番号を受信したＩＤでそれぞれ置き換えて保存することもでき、サーバーへの電話帳登録動作に伴う電力消費を低減することができる。
【００２５】
また、交換機は、携帯電話端末から電話帳サーバーへのデータ通信回線確立要求を、通常のデータ通信回線確立要求と同等に扱えるので、交換機の負担の増大を抑えることができる。
【００２６】
また本件発明の電話帳サーバーは、交換機に備えられた顧客データベースとは異なる独立したサーバーに電話帳データを保存して利用可能な構成となっているので、携帯電話事業者が認める情報通信事業者、コンテンツ事業者等による、携帯電話事業者を超えたサービス提供が可能である。
【発明を実施するための最良の形態】
【００２７】
図１は、本発明の実施形態を示す携帯電話ネットワークの構成概略図である。
【００２８】
図１において、携帯電話端末１０１は図示しない加入者（ユーザー）によって所持される。携帯電話端末１０１は無線基地局１０２によってカバーされるサービスエリアに帰属している。無線基地局１０２は、交換機３０１と、各携帯電話端末が位置登録されている領域を示す在圏エリア情報を記憶するロケーションレジスタ３０２、および携帯電話端末の電話帳データを保存するサービスとロケーションレジスタからの電話番号問い合わせに応答するサービスを行う電話帳サーバー３０３とを含むネットワーク３００に接続されている。
【００２９】
携帯電話端末１０１は、加入者（ユーザー）の発信、着信の際の利便のため、電話帳機能を有しており、電話帳には相手先識別のための氏名やニックネーム、呼称等とそれらに対応する電話番号、メールアドレス等を登録・保存可能であり、また、そのデータをネットワーク３００上のデータ回線を介して、電話帳サーバー３０３に保存することが可能となっている。
【００３０】
本実施形態では、携帯電話端末１０１は、電話帳データ作成または編集時に、相手先識別のための氏名やニックネーム、あるいは呼称等と、それらに対応する電話番号、メールアドレス等を入力し、操作の最終段階において、入力したすべてのデータを、携帯電話端末１０１内に保存する代わりにネットワーク３００側に保存する操作を行う。このとき、相手先識別は携帯電話端末１０１内にも保存される。
【００３１】
ネットワーク３００側への保存指示がなされると、携帯電話端末１０１はネットワーク３００内の電話帳サーバー３０３との間でデータ通信回線を確立した後、ネットワーク３００内の電話帳サーバー３０３にこれらの情報を送信して保存要求する。電話帳サーバー３０３は携帯電話端末１０１の加入者情報と保存データの対に対して、一意のＩＤ（識別子）を割り当てて保存するとともに、このＩＤを携帯電話端末１０１に通知する。携帯電話端末１０１は、前記相手先識別に対応する前記電話番号やメールアドレスの代わりに、受信したＩＤを携帯電話端末１０１内の電話帳に保存する。
【００３２】
携帯電話端末１０１は、電話帳参照からの発信操作時には前記ＩＤを電話番号やメールアドレスの代わりにネットワーク３００に送信する。ネットワーク３００では交換機３０１がロケーションレジスタ３０２に発信先を照会する。ロケーションレジスタ３０２は発信番号がＩＤであることから、電話帳サーバー３０３に対して電話番号を問い合わせる。電話帳サーバー３０３は、発信元の電話帳データを参照することによりこのＩＤから相手先電話番号を抽出する。抽出された電話番号はロケーションレジスタ３０２経由で交換機３０１送られる。交換機３０１は、抽出された電話番号を着信先として通信回線を確立する。
【００３３】
また着信時においては、発信元の電話番号やアドレスは同手順によってネットワーク３００において対応するＩＤに変換された後携帯電話端末１０１に送信される。従って、携帯電話端末１０１では受信したＩＤを電話帳から検索することによって発信元の相手先識別を特定することが可能となる。電話帳サーバー３０３に保存していない電話番号やメールアドレスはそのまま携帯電話端末１０１、ネットワーク３００間で授受される。
【００３４】
図２〜図５は、本実施形態の電話帳データ管理システムにおける動作を示すシーケンス図である。以下、図１〜図５を参照して、本実施形態の動作について詳細に説明する。
【００３５】
なお、各シーケンス図においては、携帯電話端末１０１とネットワーク３００を構成する要素である交換機３０１、ロケーションレジスタ３０２、電話帳サーバー３０３との間で行われる通信はすべて無線基地局１０２を透過的に介することになるので、説明を分かり易くするため記載を省略している。
【００３６】
また以下の説明において、携帯電話端末１０１にて編集を行った電話帳データは、相手先識別を“Ａ”、“Ａ”に対応する電話番号を“Ｂ”とする。また、電話帳サーバー３０３に携帯電話端末１０１の電話帳の相手先識別“Ａ”と電話番号“Ｂ”を保存する際に、電話帳サーバー３０３はＩＤ“Ｃ”を割り当てることとする。また電話番号“Ｄ”は電話帳サーバーに保存されていない電話番号とする。
【００３７】
図２は、携帯電話端末１０１が電話帳データを電話帳サーバー３０３に保存するシーケンス例を示している。
【００３８】
携帯電話端末１０１は、最初のステップＳ１０１において電話帳の編集を行い、相手先識別“Ａ”と、“Ａ”に対する電話番号“Ｂ”を入力してネットワーク保存操作を行う指示を出す。Ｓ１０２において、携帯電話端末１０１は交換機３０１に対して、電話帳サーバー３０３との間のデータ回線確立の要求を送信する。Ｓ１０３において、交換機３０１は要求に応じて携帯電話端末１０１と電話帳サーバー３０３との間のデータ回線確立を行う。
【００３９】
Ｓ１０４において、交換機３０１は携帯電話端末１０１に対してデータ回線確立完了の通知を行う。Ｓ１０５において、携帯電話端末１０１は確立されたデータ回線を利用して電話帳サーバー３０３にアクセスし、Ｓ１０１で編集した相手先識別“Ａ”、および“Ａ”に対する電話番号“Ｂ”を送信して電話帳データの保存を要求する。Ｓ１０６において、電話帳サーバー３０３は要求に応じて携帯電話端末１０１の電話帳データとして、相手先識別“Ａ”とその電話番号“Ｂ”を保存するとともに、これらの対に対して一意のＩＤ“Ｃ”を割り当てて保存する。
【００４０】
Ｓ１０７において、電話帳サーバー３０３はデータ回線を介して携帯電話端末１０１に対して、電話帳データ保存完了と相手先識別“Ａ”に対して割り当てたＩＤ“Ｃ”を通知する。Ｓ１０８において、携帯電話端末１０１は、電話帳サーバー３０３からＩＤ“Ｃ”を受信したときには、相手先識別“Ａ”に対して電話番号“Ｂ”の代わりに該受信したＩＤ“Ｃ”を電話帳に保存し、それまで保存されていた電話番号“Ｂ”は削除する。従って、携帯電話端末１０１の電話帳には、相手先識別“Ａ”と“Ａ”に対するＩＤ“Ｃ”が登録・保存される。
【００４１】
図３は、携帯電話端末１０１が電話帳から相手先識別“Ａ”に対して発信動作を行うシーケンス例を示している。
【００４２】
携帯電話端末１０１は、最初のステップＳ２０１において携帯電話端末１０１内に保存された電話帳から相手先識別“Ａ”を選択して、発信操作を行う。Ｓ２０２において、携帯電話端末１０１内の電話帳では相手先識別“Ａ”に対する電話番号はＩＤ“Ｃ”であるため、交換機３０１に対してＩＤ“Ｃ”への発信要求を送信する。Ｓ２０３において、交換機３０１はロケーションレジスタ３０２に対してＩＤ“Ｃ”の所在を照会する。
【００４３】
Ｓ２０４において、ロケーションレジスタ３０２は、照会があったＩＤ“Ｃ”が電話帳サーバー３０３に保存されているＩＤ情報であることを判別し、電話帳サーバー３０３に対してＩＤ“Ｃ”に対する真の電話番号を照会する。Ｓ２０５において、電話帳サーバー３０３はＩＤ“Ｃ”に対応する電話番号“Ｂ”を検索する。Ｓ２０６において、電話帳サーバー３０３はロケーションレジスタ３０２に対し検索した電話番号“Ｂ”を応答する。
【００４４】
Ｓ２０７において、ロケーションレジスタ３０２は交換機３０１に対して、電話帳サーバー３０３から受信した電話番号“Ｂ”とその所在を応答する。Ｓ２０８において、交換機３０１は電話番号“Ｂ”の呼び出しを行い、応答があり次第電話番号“Ｂ”との間の回線を確立する。Ｓ２０９において、交換機３０１は携帯電話端末１０１に対し電話番号“Ｂ”との回線確立完了を通知し、携帯電話端末１０１と電話番号“Ｂ”との間の回線が確立する。
【００４５】
図４は、携帯電話端末１０１が電話番号“Ｂ”から着信を受ける場合のシーケンス例を示している。
【００４６】
交換機３０１は最初のステップＳ３０１において、電話番号“Ｂ”から携帯電話端末１０１に対する着信入来を受ける。Ｓ３０２において、交換機３０１はロケーションレジスタ３０２に対して携帯電話端末１０１の所在を照会する。Ｓ３０３において、ロケーションレジスタ３０２は電話帳サーバー３０３に対して、電話帳サーバー３０３に保存されている携帯電話端末１０１の電話帳データから発信元電話番号“Ｂ”に関する情報照会を行う。Ｓ３０４において、電話帳サーバー３０３は携帯電話端末１０１の電話帳データから発信元電話番号“Ｂ”のＩＤ“Ｃ”を検索する。
【００４７】
Ｓ３０５において、電話帳サーバー３０３はロケーションレジスタ３０２に対して、検索した電話番号“Ｂ”のＩＤ“Ｃ”を応答する。Ｓ３０６において、ロケーションレジスタ３０２は交換機３０１に対して、着信先である携帯電話端末１０１の所在と共に、発信元電話番号“Ｂ”のＩＤ“Ｃ”を応答する。Ｓ３０７において、交換機３０１は発信元をＩＤ“Ｃ”として、携帯電話端末１０１の呼び出しを行う。Ｓ３０８において、携帯電話端末１０１はＩＤ“Ｃ”からの着信を受ける。Ｓ３０９において、携帯電話端末１０１は内部の電話帳からＩＤ“Ｃ”を検索し、発信元が相手先識別“Ａ”であることを確認して発信元の相手先を表示する。
【００４８】
図５は、携帯電話端末１０１が電話番号“Ｄ”から着信を受ける場合のシーケンス例を示している。
【００４９】
交換機３０１は最初のステップＳ４０１において、電話番号“Ｄ”から携帯電話端末１０１に対する着信入来を受ける。Ｓ４０２において、交換機３０１はロケーションレジスタ３０２に対して携帯電話端末１０１の所在を照会する。Ｓ４０３において、ロケーションレジスタ３０２は電話帳サーバー３０３に対して、電話帳サーバー３０３に保存されている携帯電話端末１０１の電話帳データから発信元電話番号“Ｄ”に関する情報照会を行う。
【００５０】
Ｓ４０４において、電話帳サーバー３０３は携帯電話端末１０１の電話帳データから発信元電話番号“Ｄ”のＩＤを検索するが、登録がないため検出できない。Ｓ４０５において、電話帳サーバー３０３はロケーションレジスタ３０２に対して電話番号“Ｄ”のＩＤが同サーバー内に存在しないことを応答する。Ｓ４０６において、ロケーションレジスタ３０２は交換機３０１に対して、携帯電話端末１０１の所在と共に、発信元電話番号“Ｄ”を応答する。
【００５１】
Ｓ４０７において、交換機３０１は発信元電話番号“Ｄ”として、携帯電話端末１０１の呼び出しを行う。Ｓ４０８において、携帯電話端末１０１は電話番号“Ｄ”からの着信を受ける。Ｓ４０９において、携帯電話端末１０１は電話番号“Ｄ”からの着信であることを確認して発信元の相手先を表示する。
【００５２】
このように本実施形態では、携帯電話端末が電話帳のデータをネットワークに保存する場合に、交換機に対して予め指定されている電話帳サーバーとのデータ回線の確立を要求し、データ回線確立後、携帯電話端末と電話帳サーバーとの間で、電話帳データの保存要求、ＩＤの付与、および電話帳データの保存処理のための通信を行うので、漏洩を防止する必要のある相手先電話番号のみを一括してＩＤに置き換えて登録することができる。
【００５３】
また本実施形態の電話帳サーバーは、交換機に備えられた顧客データベースとは異なる独立したサーバーに電話帳データを保存して利用可能な構成となっているので、携帯電話事業者が認める情報通信事業者、コンテンツ事業者等による、携帯電話事業者を超えたサービス提供が可能であるとともに、交換機は、携帯電話端末から電話帳サーバーへのデータ通信回線確立要求を、通常のデータ通信回線確立要求と同等に扱えるので、交換機の負担の増大を抑えることができる。
【００５４】
なお上記実施形態では、電話帳サーバーに電話番号を保存する場合について説明したが、メールアドレスでも、同様の構成を実現することができる。
【００５５】
また上記実施形態では、電話帳サーバーへのデータ保存は電話帳編集終了時のタイミングで行っているが、電話帳編集時に電話帳サーバーへ保存する電話帳データを予め指定しておき、１時間後、１日後等に携帯電話端末から自発動作させる、あるいはネットワークからのポーリングにより周期的に行わせる構成とすることもできる。この場合、携帯電話内に保存されている電話番号やメールアドレスは順次電話帳サーバーが割り当てるＩＤに置き換えられていく。
【００５６】
また上記各実施形態において、携帯電話端末が紛失、盗難等に遭った場合、ユーザーからのネットワークオペレータに対する通知により、ＩＤから電話番号、メールアドレスの照会を停止することを極めて容易に実施することができる。
【００５７】
また上記各実施形態において、電話帳サーバー３０３で保存されるデータは、バックアップとしても利用することができる。当初携帯電話の紛失、盗難により端末を置き換えた場合でも、電話帳サーバー３０３に保存されている端末、あるいは加入者認証データ部分を新しいものと置き換えるだけでそのまま利用することができる。
【図面の簡単な説明】
【００５８】
【図１】本発明の実施形態を示す電話帳データ管理システムの概略構成図である。
【図２】本実施形態の電話帳データ管理システムにおける動作を示すシーケンス図である。
【図３】本実施形態の電話帳データ管理システムにおける動作を示すシーケンス図である。
【図４】本実施形態の電話帳データ管理システムにおける動作を示すシーケンス図である。
【図５】本実施形態の電話帳データ管理システムにおける動作を示すシーケンス図である。
【図６】従来の電話帳データ管理システムの概略構成図である。
【符号の説明】
【００５９】
１０１  携帯電話端末
１０２  無線基地局
３００  ネットワーク
３０１  交換機
３０２  ロケーションレジスタ
３０３  電話帳サーバー
【図１】
2010087762.tif 000003
【図２】
2010087762.tif 000004
【図３】
2010087762.tif 000005
【図４】
2010087762.tif 000006
【図５】
2010087762.tif 000007
【図６】
2010087762.tif 000008